(57)【要約】【課題】  複雑な装置や操作を要することなく、効率的に運転を監視・調整・維持することができるという優れた特徴を有する蒸留塔を提供する。【解決手段】  下記（１）〜（４）の少なくとも一箇所に、蒸留塔内の流体を分析するための分析装置を有する蒸留塔。  （１）塔還流ライン  （２）塔還流ポンプの還流ドラムへの循環ライン  （３）塔底抜きだしポンプの塔底への循環ライン  （４）塔がサイドカット抜きだしを有する場合、そのサイドカット抜き出しポンプの塔への循環ライン  分析装置としては、たとえばガスクロマトグラフや、比重、密度計、その他蒸留塔の運転の指標となるデータを自動もしくは手動で得ることができる各種設備があげられるが、分析結果が遠隔監視可能なものでなおかつ自動で分析を行うものが好ましい。【選択図】  図１
2005199188.tif 000002
【特許請求の範囲】
【請求項１】
下記（１）〜（４）の少なくとも一箇所に、蒸留塔内の流体を分析するための分析装置を有する蒸留塔。
（１）塔還流ライン
（２）塔還流ポンプの還流ドラムへの循環ライン
（３）塔底抜きだしポンプの塔底への循環ライン
（４）塔がサイドカット抜きだしを有する場合、そのサイドカット抜き出しポンプの塔への循環ライン
【請求項２】
分析装置が、蒸留塔の運転の指標となるデータを自動又は手動で連続的又は間欠的に得ることができるものである請求項１記載の蒸留塔。
【請求項３】
分析装置が遠隔監視可能なガスクロマトグラフ、比重計又は密度計である蒸留塔。
【請求項４】
分析装置を蒸留塔の運転中に遮断して補修する際、蒸留塔の運転に影響を及ぼすことのないよう、蒸留塔から分析装置を遮断する手段を有するある請求項１記載の蒸留塔。
【請求項５】
分析装置にサンプルを供給する配管の途中に、流量計を有する請求項１記載の蒸留塔。
【発明の詳細な説明】
【技術分野】
【０００１】
本発明は、蒸留塔に関するものである。更に詳しくは、本発明は、複雑な装置や操作を要することなく、効率的に運転を監視・調整・維持することができるという優れた特徴を有する蒸留塔に関するものである。
【背景技術】
【０００２】
蒸留塔の組成監視は蒸留塔の運転に非常に重要である。例として、製品を塔頂側に抜きだす蒸留塔で組成の監視を行う場合、一般的に塔頂の製品抜きだし配管の途中で分析装置をもちいて、留出液の分析を行うことがあげられる。しかしこのような部分で分析する方法では、蒸留塔の運転開始時における全還留運転時など抜きだしの無い状況では監視ができない。
【０００３】
【特許文献１】特開平８−２６６８０２号公報
【発明の開示】
【発明が解決しようとする課題】
【０００４】
かかる現状において、本発明が解決しようとする課題は、複雑な装置や操作を要することなく、効率的に運転を監視・調整・維持することができるという優れた特徴を有する蒸留塔を提供するものである。
【課題を解決するための手段】
【０００５】
すなわち、本発明は、下記（１）〜（４）の少なくとも一箇所に、蒸留塔内の流体を分析するための分析装置を有する蒸留塔に係るものである。
（１）塔還流ライン
（２）塔還流ポンプの還流ドラムへの循環ライン
（３）塔底抜きだしポンプの塔底への循環ライン
（４）塔がサイドカット抜きだしを有する場合、そのサイドカット抜き出しポンプの塔への循環ライン
【発明の効果】
【０００６】
本発明により、複雑な装置や操作を要することなく、効率的に運転を監視・調整・維持することができるという優れた特徴を有する蒸留塔を提供することができる。
【発明を実施するための最良の形態】
【０００７】
本発明の蒸留塔は、下記（１）〜（４）の少なくとも一箇所に、蒸留塔内の流体を分析するための分析装置を有するものである。
（１）塔還流ライン
（２）塔還流ポンプの還流ドラムへの循環ライン
（３）塔底抜きだしポンプの塔底への循環ライン
（４）塔がサイドカット抜きだしを有する場合、そのサイドカット抜き出しポンプの塔への循環ライン
【０００８】
本発明における分析装置としては、たとえばガスクロマトグラフや、比重、密度計、その他蒸留塔の運転の指標となるデータを自動もしくは手動で得ることができる各種設備があげられるが、分析結果が遠隔監視可能なものでなおかつ自動で分析を行うものが好ましい。
【０００９】
蒸留塔としては、水や空気など無害なもの以外にも、油などの可燃物、ガスなど任意の流体に適用できる。使用条件は分析機器の対応可能な範囲までとするのが望ましいが、対応した分析機器を設計することで任意の温度、圧力、流体に適用できる。
【００１０】
塔頂側の留出液の分析を行う場合分析装置を設置する場所は、留出液も還流液も同一組成であるため、還流ラインに設置することが望ましい。この場合、分析に必要な量を分析装置に流すことができるように還流ラインのコントロールバルブと並列に分析装置を設置することが望ましい。このとき、分析装置の故障時など修理する際にプロセスに影響を及ぼさないように、遮断や補修が可能なよう分析装置の遮断設備を設置することが望ましいが、分析装置の形態によっては、任意の位置に設置することが可能である。
【００１１】
塔底側の缶出液の監視を行う場合、塔底の抜きだしポンプ循環ラインなど、製品抜きだしが無くても液循環が可能な部分に分析装置を設置するのが望ましい。この場合も、分析機器の遮断、補修が問題なく行えるように遮断設備を任意の位置に設置することが望ましい。遮断はバルブを用いて行うのが一般的であるが、さらに完全に遮断するためにバルブを直列に複数用いたり、バルブの後に仕切板を用いて遮断することも可能である。
【００１２】
分析装置に流れるサンプルの流量の異常は分析にとって致命的な問題を引き起し、ひいては塔の運転を乱す原因となる。そのため分析装置に流れるサンプル流量監視用の流量計をサンプルの配管途中に設置し、この流量計を時折もしくは常時監視し分析装置の異常を未然に防止することが望ましい。また、このサンプル液の配管には流量計を設置と共に、流量計や分析装置に固形物を持ちこまないようストレーナーを設置するのが好ましい。このサンプルの流量調整には分析装置の遮断用のバルブを用いることも可能であるが、調整用のバルブを別途設置することが望ましい。
【実施例】
【００１３】
実施例１
ベンゼンとエチルベンゼンを蒸留分離する塔において、還流ラインのコントロールバルブと並列にガスクロマトグラフ法による連続組成分析を行う分析装置を設置して全還留運転を開始した。全還留運転開始後分析装置を連続で遠隔監視していたところ、塔頂側の還流液の組成が通常運転管理範囲内に入ったことが確認されたため、全還留運転を終了し塔頂の製品抜出を開始した。この間の操作はほとんど全て遠隔で行い、少ない労力で実施することができた。
また、この分析装置を遮断補修した際も、分析装置を還流配管のコントロールバルブと並列に設置にしてあったため、分析装置の遮断による還流量の変動を起すことも無く遮断することができた。遮断はあらかじめ設置しておいた遮断バルブを用いて行った。そのため分析装置の公正や補修も容易に行うことができた。また、分析装置稼動後、分析装置に流れる流量計を監視し必要に応じて調整しているため、分析装置のサンプル流量に関る問題の発生を未然に防止することができ、設備の維持に貢献できている。
【００１４】
比較例１
エチルベンゼンとジエチルベンゼンを蒸留分離する塔において、塔頂液の抜きだし配管途中にガスクロマトグラフ法による連続組成分析を行う分析装置を設置して全還留運転を開始した。全還留運転を開始しても塔頂抜きだしが無いため、分析装置の監視はできなかった。塔頂側の組成を確認するため抜出を開始したが組成が管理範囲外であったため、オフスペック製品タンクに抜きだしを行った。その後分析装置を監視し、通常運転管理範囲内に入ったことが確認されたため、オフスペック製品タンク抜きだしを終了し通常の製品タンクへの抜出を開始した。この間に数時間に渡り、管理範囲外製品が発生しオフスペック製品処理に労力を費やした。
【図面の簡単な説明】
【００１５】
【図１】実施例１で用いた蒸留塔のフローの概略を示す図である。
【符号の説明】
【００１６】
１  蒸留塔
２  塔頂凝縮器
３  還流ライン
４  還流ドラム
５  還流ポンプ
６  還流量調整用コントロールバルブ
７  塔頂留出液抜出ライン
８  塔底缶出液抜出ライン
９  塔底缶出液抜出ポンプ
10  塔底循環ライン
11  塔頂留出液組成分析装置
12  塔底缶出液組成分析装置
13  分析装置  遮断用バルブ
14  分析装置用流量計
【図１】
2005199188.tif 000003